(57)【要約】【課題】包装袋本体の正面側と背面側フィルムとの切断ラインが最終部分において一致するように誘導し、引裂きやすくすることにより容易に開口する包装袋を提供する。【解決手段】少なくとも２枚のフィルムをシールしてなり、開封により開口部を形成するトップシール部とその両側の側部シール部とを具備する包装袋であって、前記トップシール部のシールされた領域の内側縁辺が包装袋の外側に向かって凸状の曲線形状をなし、前記トップシール部の前記内側縁辺と前記側部シール部のシールされた領域の内側縁辺との交点の少なくとも一方の近傍に開封用の切れ込みが設けられ、さらに切断方向規制部が、前記２枚のフィルムの正面側フィルム及び背面側フィルムの対応する位置において前記交点を結ぶ仮想ラインの近傍であって前記切れ込みより包装袋本体側に形成されてなる包装袋である。【選択図】図１
2008024336.tif 000002
【特許請求の範囲】
【請求項１】
少なくとも２枚のフィルムをシールしてなり、開封により開口部を形成するトップシール部とその両側の側部シール部とを具備する包装袋であって、前記トップシール部のシールされた領域の内側縁辺が包装袋の外側に向かって凸状の曲線形状をなし、前記トップシール部の前記内側縁辺と前記側部シール部のシールされた領域の内側縁辺との交点の少なくとも一方の近傍に開封用の切れ込みが設けられ、さらに切断方向規制部が、前記２枚のフィルムの正面側フィルム及び背面側フィルムの対応する位置において前記交点を結ぶ仮想ラインの近傍であって前記切れ込みより包装袋本体側に形成されてなる包装袋。
【請求項２】
前記切断方向規制部が、前記仮想ラインより包装袋本体側で仮想ラインと平行にフィルムを外方向に山折りして突出させ、前記突出部の少なくとも基部を接合して立設された羽部であって、かつ前記羽部の基部が切断方向を袋本体側に向かうことを防止する切断方向規制ラインを形成してなる請求項１に記載の包装袋。
【請求項３】
前記羽部と包装袋本体との境界に包装袋本体側に折り畳まれる折り癖が付与されてなる請求項２に記載の包装袋。
【請求項４】
前記切断方向規制部が、前記仮想ラインより包装袋本体側に融着される帯状部材であって、前記帯状部材の仮想ライン近傍の融着端部が切断方向を袋本体側に向かうことを防止する切断方向規制ラインを形成してなる請求項１に記載の包装袋。
【発明の詳細な説明】
【技術分野】
【０００１】
本発明は、食品、化粧品あるいはトイレタリー品等の液体、粉体や粒体を収容し、引裂きにより容易に開口する包装袋に関する。
【背景技術】
【０００２】
食品等の液体、粉体、粒体、又は固形物を含む粘性体を密封したパウチ等の包装袋は、開封のために開封開始部として切れ込みが設けられ、一方の側部シールの切れ込みから他方の側部シールに向けて切断され、広い開口が得られる。
例えば、特許文献１は、２つのテープの間に切断開始用の切れ込みを設け、切断方向を２つのテープによって規制する包装袋を提案している。
しかし、上記の袋の外側に貼着したテープは、切断方向を規制するが、切断の最終ポイントで正面側フィルムと背面側フィルムの切断ラインがずれていると、切り取りが難しくなり切断片が残るので、収容物を排出する際の障害とならないように、手で摘んだり、ハサミで切取る等の手間がかかる。
また、特許文献２及び３は、レーザー等で袋の表面に刻設したハーフカット線によって切断方向を誘導した包装袋を開示している。
しかしながら、広い開口を得る場合に、切断予定部全体に一本のハーフカットを刻設することは困難であり、複数本のハーフカット線の集合で概ね１本の線を形成するため、正面側と背面側フィルムの切断方向を一致させることは必ずしも容易でない。
ところで、特許文献４は、正面側又は背面側の包装袋本体の横幅全体にわたって底シールと平行な二本の折り曲げ線により外方に突出する折り込み部が形成された包装袋を開示しているが、この折り込み部は接合されておらず、切断方向を規制できない。
【０００３】
【特許文献１】特開２０００−１６８７９６号公報
【特許文献２】特開２０００−１１８５６７号公報
【特許文献３】特開２００２−１０４４３７号公報
【特許文献４】特開２００５−２９８００６号公報
【発明の開示】
【発明が解決しようとする課題】
【０００４】
上述の問題を解決するため、本発明は、包装袋本体の正面側と背面側フィルムとの切断ラインが最終部分において一致するように誘導し、引裂きやすくすることにより容易に開口する包装袋を提供することを課題とする。
【課題を解決するための手段】
【０００５】
本発明は、少なくとも２枚のフィルムをシールしてなり、開封により開口部を形成するトップシール部とその両側の側部シール部とを具備する包装袋であって、前記トップシール部のシールされた領域の内側縁辺が包装袋の外側に向かって凸状の曲線形状をなし、前記トップシール部の前記内側縁辺と前記側部シール部のシールされた領域の内側縁辺との交点の少なくとも一方の近傍に開封用の切れ込みが設けられ、さらに切断方向規制部が、前記２枚のフィルムの正面側フィルム及び背面側フィルムの対応する位置において前記交点を結ぶ仮想ラインの近傍であって前記切れ込みより包装袋本体側に形成されてなる包装袋を提供するものである。
【発明の効果】
【０００６】
本発明により、包装袋本体の正面側と背面側フィルムとの切断ラインが切断最終部分において一致するように誘導し、引裂きやすくすることにより容易に開口する包装袋を提供することができる。
【発明を実施するための最良の形態】
【０００７】
本発明の包装袋の実施の形態について、図面を参照して説明する。図１は、本発明の包装袋の一例を示す模式図である。
図１に示す本発明の第１の実施態様である包装袋１は、少なくとも２枚のフィルムをシールしてなり、トップシール部１０とその両側の側部シール部２０と切れ込み３０と切断方向規制部６０と切断方向規制ライン７０とを具備する包装袋である。
第１の実施態様では、切断方向規制部６０は羽部６０Ａとして形成され、切断方向規制ライン７０は羽部６０Ａの基部である。前記トップシール部１０のシールされた領域の内側の端部が連続して形成される内側縁辺１１と前記側部シール部２０のシールされた領域の内側の端部が連続して形成される内側縁辺２１とで囲まれた部分により包装袋の内容物を収容する内部が形成される。前記トップシール部１０は開封により切除され、開口部を形成する。この開封を容易にするため、前記トップシール部１０の内側縁辺１１と前記側部シール部２０の内側縁辺２１との二つの交点の一方又は双方の近傍に開封用の切れ込み３０が設けられている。
本発明においては、前記の二つの交点を結ぶ線分を仮想ライン５０とし、仮想ライン５０より側部シール部２０側の包装袋主要部分を包装袋本体４０という。
【０００８】
本発明の包装袋の第１の特徴は、トップシール部１０の内側縁辺１１が包装袋の外側に向かって凸状の曲線形状をなすことである。この凸状の曲線形状としては、アーチ形状が好ましいが、概ね弓形であれば中央部分に直線部分があっても良い。これにより、切れ込み３０から開始されたフィルムの切断ラインが、前記包装袋本体４０の正面側フィルムと背面側フィルムとでずれても、トップシール部１０の内側縁辺１１に誘導され、フィルムの切断ラインを前記トップシール部１０の内側縁辺１１と前記側部シール部２０の内側縁辺２１との反対側の交点に誘導させるので、この交点にシール部（トップシール部１０又は側部シール部２０）を切断するための引き裂き力が集中するので、切断片の切り取りが容易となる。言い換えると、シール部は、２枚のフィルムが貼り合わされているために、２枚のフィルムの切断最終部分がずれていると、引き裂き力が分散されて、シール部の切り取りが容易ではないので、２枚のフィルムの切断最終部分が一致するように誘導して切断辺の切り取りを容易にしている。尚、包装袋の両側にある側部シール２０のいずれの側からも切断の開始を可能にするために、前記反対側の交点近傍にも開封用の切れ込み３０を設けることが好ましい。
【０００９】
次に、本発明の包装袋の第２の特徴は、切断方向規制部６０のトップシール部１０の側の縁辺として、前記切れ込み３０より包装袋本体４０側かつ前記交点を結ぶ仮想ライン５０近傍に切断方向規制ライン７０が形成されることである。これにより、切断方向規制部６０は、２枚のフィルムの切断方向が包装袋本体側に進むことを阻止し、かつ、２枚のフィルムの切断方向が切断方向規制ライン７０に沿って、又は切断方向規制ライン７０よりトップシール部１０の側に進むように誘導する。これにより、２枚のフィルムの切断ラインが最終部分において一致し、前記トップシール部１０の内側縁辺１１と前記側部シール部２０の内側縁辺２１との交点に到達するので、包装袋１を引裂きやすくなり、容易に開口できることとなる。
【００１０】
さらに、本発明の第１の実施態様には、切断方向規制部６０として羽部６０Ａが具備されている。まず、フィルムを仮想ライン５０より包装袋本体４０側で仮想ライン５０と平行に外方向に山折りして突出させ、前記突出部の少なくとも基部が接合されて羽部６０Ａが立設される。羽部６０Ａは、包装袋本体４０の正面側及び背面側の対応する位置において前記切れ込み３０より包装袋本体４０側で設けられ、羽部６０Ａの基部にある接合縁辺が切断方向規制ライン７０を形成する。従って、この羽部６０Ａの立設により、容易に包装袋を開封することができ、正面側と背面側の羽部６０Ａを引っ張ることにより容易に開口できる。
本発明の包装袋１の典型的な使用態様としてレトルトパウチが挙げられる。レトルトパウチは、通常、熱湯に所定時間浸漬し暖めた後、又は電子レンジにより加熱した後に開封する。収容物は、例えば、スパゲティー等のソース、カレー等である。本発明の包装袋１がレトルトパウチであり、それが温められた場合は、収容物の熱が羽部６０Ａに伝わりにくいので、羽部６０Ａは熱くならず指で持ちやすい。また、包装袋本体４０が熱い場合に、粘性の高い収容物を排出するために箸で包装袋本体４０を挟みながら開口部までスライドさせる場合にも、羽部６０Ａに箸がひっかかりストッパーの役割を果たすので箸が汚れない。この観点から、羽部６０Ａに包装袋本体４０側に折り畳まれる折り癖が付与されることが好ましい。
【００１１】
図２は、本発明の包装袋の他の一例を示す平面模式図である。図２に示す本発明の第２の実施態様である包装袋１は、切断方向規制部６０として、上記の第１の実施態様の羽部６０Ａに代えて、帯状部材６０Ｂを具備する。帯状部材６０Ｂは、包装袋本体４０の正面側及び背面側の対応する位置において前記切れ込み３０より包装袋本体４０側で、正面側及び背面側のフィルムに融着し、その融着端部が切断方向規制ライン７０を形成する。従って、この帯状部材６０Ｂの融着によっても、容易に包装袋を開封することができる。また、帯状部材６０Ｂにより包装袋本体４０にコシが生まれるので、例えば、帯状部材６０Ｂ付近の側部シール部２０双方を指で持つことにより容易に開口できる。必要に応じ、この帯状部材６０Ｂ付近の側部シール部２０又は前記羽部６０Ａの指で持つ部分を判りやすく表示する（例えば、色を変える等）と包装袋１の取り扱いがさらに容易になり好ましい。
【００１２】
図１及び２に示す箸穴８０は、お湯等から包装袋１を取り出す際、箸等で引っ掛けるのに便利であり好ましい。
【００１３】
本発明の包装袋１に用いられる材料としては、ヒートシール性のある直鎖低密度ポリエチレン（ＬＬＤＰＥ）、低密度ポリエチレン（ＬＤＰＥ）、高密度ポリエチレン（ＨＤＰＥ）のフィルムあるいは無延伸ポリプロピレンフィルム（ＣＰＰ）等が挙げられ、比較的低い温度でヒートシールできる各種ポリエチレン、特に、低密度ポリエチレンが好ましい。また、帯状部材６０Ｂは、包装袋１に用いられる材料と同じものを用いることが好ましい。
包装袋１は、透明であると内容物を視認でき好ましい。透明であれば、無色であっても、着色であってもよい。
さらに、内容物の保護等を目的とした保護層として、例えばガスバリア性を目的とするエチレン／ビニルアルコール共重合樹脂フィルム（ＥＶＯＨ）、酸化珪素等が蒸着されたセラミック蒸着フィルムあるいはアルミニウム箔等が接着剤等を介してラミネートされたもの、あるいは耐屈曲ピンホール性を目的として二軸延伸ナイロンフィルムを積層させたもの等を上記のヒートシール性のある内層の外側に目的に応じて積層し、２〜５層からなる複合フィルムとして用いることができる。
【産業上の利用可能性】
【００１４】
本発明の包装袋は、食品、飲料、化粧品、医薬品、香辛料、洗剤、毛髪洗浄剤又は毛髪保護剤等の各種粉体、粒体もしくは液体又はそれらの混合物、高粘性流動物あるいは固形物を収容する包装袋として、特に、各種食品用レトルトパウチとして好適に用いられる。
【図面の簡単な説明】
【００１５】
【図１】本発明の包装袋の一例を示す平面模式図である。
【図２】本発明の包装袋の他の一例を示す平面模式図である。
【符号の説明】
【００１６】
１：包装袋
１０：トップシール部
１１：トップシール部のシールされた領域の内側縁辺
２０：側部シール部
２１：側部シール部のシールされた領域の内側縁辺
３０：切れ込み
４０：包装袋本体
５０：仮想ライン
６０：切断方向規制部
６０Ａ：羽部
６０Ｂ：帯状部材
７０：切断方向規制ライン
８０：箸穴
【図１】
2008024336.tif 000003
【図２】
2008024336.tif 000004